(57)【特許請求の範囲】
【請求項１】
マンホール蓋の裏面に設けた嵌合孔に、一定長の湾曲片から成るマンホール蓋用蝶番の上端部を嵌合し、当該マンホール蓋用蝶番の下端部をマンホール受枠の内周の一側に設けた略環状の蝶番座に移動自在に挿通して当該蝶番座の下方に突出する前記マンホール蓋用蝶番の下端部に、前記蝶番座に係止可能な係止突部を設け、当該マンホール蓋を前記マンホール受枠から一定長引き上げ及び水平回転自在としたマンホール蓋用蝶番において、
前記係止突部を、前記マンホール蓋用蝶番の下端部の両側に当接した一定厚のスペーサーとし、当該係止突部を形成する各スペーサーは、当該スペーサーの貫通孔及びマンホール蓋用蝶番の下端部の貫通孔にヒンジピンが通され、当該ピンジピンの一端に前記スペーサーの貫通孔より大径のフランジ部が設けられ、当該ヒンジピンの他端に軸支した回動部を前記スペーサーの外側に自重により垂下させて前記マンホール蓋用蝶番の下端部に固定されていることを特徴とする、マンホール蓋用蝶番。
【請求項２】
前記マンホール蓋用蝶番の下端部両側のスペーサーが、各スペーサー相互を繋いだ連結部により、断面略コ字型に一体に形成されたことを特徴とする、前記請求項１に記載のマンホール蓋用蝶番。
【請求項３】
前記ヒンジピンの回動部を突出させた前記スペーサーの外側面に、当該スペーサーの貫通孔を中心に略水平位置に突出部を夫々設け、当該突出部により、前記ヒンジピンの回動部の回動を規制したことを特徴とする、前記請求項１又は２に記載のマンホール蓋用蝶番。
【請求項４】
前記ヒンジピンの回動部を突出させた前記スペーサーの外側面に、当該スペーサーの貫通孔を中心に略水平位置から上部に円弧状の突出段部を設け、当該突出段部の外周面は前記スペーサーの上部外周面を拡長した構成とし、当該突出段部により、前記ヒンジピンの回動部の回動を規制したことを特徴とする、前記請求項１又は２に記載のマンホール蓋用蝶番。
【請求項５】
前記ヒンジピンのフランジ部を設けた一端部に貫通孔を穿ち、前記スペーサーの両側部に挟まれた連絡部に貫通孔を穿ち、前記ヒンジピンの貫通孔と当該スペーサーの貫通孔を線状体で繋ぎ、当該線状体の他端を前記マンホール受枠又は他のマンホール開口部構造物に取付けたことを特徴とする、前記請求項２、３又は４の何れかに記載のマンホール蓋用蝶番。  
【発明の詳細な説明】
【技術分野】
【０００１】
この発明は、路面に設けられているマンホールの鉄製の蓋は、車輌等の通過や周囲の振動により回転し、片べりとなり、当該蓋が鳴動するようになるが、この様に、マンホール蓋が鳴動しないように、また、開閉操作を容易にするため、当該マンホール蓋とマンホール受枠とを繋いでいるマンホール蓋用蝶番に関するものである。
【背景技術】
【０００２】
従来、路面に設けられているマンホールの蓋は、当該マンホールの開口部の周縁にマンホール受枠を固定し、このマンホール受枠にマンホール蓋を嵌めて固定している。そして、振動により、当該マンホール蓋が鳴動しないように、また、当該マンホール蓋がマンホール受枠から離れないように、当該マンホール蓋とマンホール受枠とを湾曲片状のマンホール蓋用蝶番によって接続している。
【０００３】
この様なマンホール蓋用蝶番は、マンホール蓋の裏面に形成した蝶番取付座に、このマンホール蓋用蝶番の上部を回動自在に枢着し、このマンホール蓋用蝶番の下部をマンホール受枠の内周面に突設した略環状の蝶番座の孔内に移動自在に挿通して当該マンホール蓋用蝶番の下端部に前記蝶番座に係止可能な係止突部を設けてマンホール蓋とマンホール受枠とを連結するもので、マンホール蓋をマンホール受枠から一定長引き抜き、かつこのマンホール蓋用蝶番を支点として、マンホール蓋を旋回させることによって開蓋している。
【特許文献１】特許第３４３０２４９号公報
【０００４】
この様な構成のマンホール蓋において、マンホール内に作業者が入孔する等、作業によっては、マンホールの開口部からマンホール蓋を完全に外さなければならない場合がある。
【０００５】
そこで、前記マンホール蓋用蝶番の下端部の係止突部として、図１３及び図１４に示すように、マンホール蓋用蝶番５１の下端部に穿った貫通孔５２にボルト５８を通して、当該ボルト５８端をナット５９で締め付けた構成のものが使用されている。この場合、ナット５９を緩めればボルト５８が外れ、マンホール蓋Ｂをマンホール受枠から完全に引き抜くことが出来るが、ナット５９がボルト５８に固く締め付けられ、長時間経ったものはナット５９が抜け難く、その上、この作業を地上からマンホールの開口部に手を入れて行うため、極めて手間のかかる作業となっている。
【０００６】
この様なことから、図１５に示すように、マンホール蓋用蝶番５１の下部に設けた貫通孔５２に、図１６及び図１７に示すヒンジピン５３を挿入し、当該ヒンジピン５３の着脱によって、容易にマンホール蓋用蝶番５１とマンホール受枠Ｃを取外し自在とした係止突部が考えられる。このヒンジピン５３は略丸棒から成り、一端が平面略Ｔ字型に切断され、当該切断された部分はヒンジピン５３本体の残った部分に軸支されて回動部５４となっており、他端はフランジ部５５を介して半円形状の板体５６となっており、その略中央部には貫通孔５７を穿っている。
【０００７】
この様なマンホール蓋用蝶番５１の下部の貫通孔５２に挿入されたヒンジピン５３は、通常は、自重により回動部５４が回動してヒンジピン５３本体に対して下方に垂下した状態にあり、貫通孔５２から抜けない構造となっている。また、このヒンジピン５３を抜くときは、この回動部５４を回して、ヒンジピン５３本体と同様に真っ直ぐな状態にして前記マンホール蓋用蝶番５１の貫通孔５２から抜くようになっている。
【発明の開示】
【発明が解決しようとする課題】
【０００８】
しかしながら、この様なマンホール蓋Ｂを開ける際、当該マンホール蓋Ｂの引き出し時に、前記マンホール受枠Ｃの蝶番座６０にヒンジピン５３が当たり、前記ヒンジピン５３にキズを付けることがある。これは、当該ヒンジピン５３の一端に回動部５４を設けているため、当該ヒンジピン５３の回動部５４を軸支した部分は、ヒンジピン５３本体より断面性能が弱く、応力が集中して作用した結果と推測される。
【０００９】
また、同様にマンホール蓋Ｂを斜め上方向に引出した場合、蝶番座６０と接触してヒンジピン５３に曲げ荷重がかかり、ヒンジピン５３が変形する可能性がある。これらの様な状況を放置しては、ヒンジピン５３に多数のキズが出来、また、ヒンジピン５３が変形して、ヒンジピン５３を容易に引き抜くことが出来ない事態を招くことが予想される。
【００１０】
そこで、この発明は、これらのことに鑑み、マンホール蓋をマンホール受枠から引き上げる際、マンホール蓋用蝶番の下端部の係止突部が当該蝶番座に当たっても、当該係止突部のヒンジピンに傷等がつかない、かつ必要時には、容易に当該係止突部を引き抜くことが出来るマンホール蓋用蝶番を提供して前記課題を解決するものである。
【課題を解決するための手段】
【００１１】
請求項１の発明は、マンホール蓋の裏面に設けた嵌合孔に、一定長の湾曲片から成るマンホール蓋用蝶番の上端部を嵌合し、当該マンホール蓋用蝶番の下端部をマンホール受枠の内周の一側に設けた略環状の蝶番座に移動自在に挿通して当該蝶番座の下方に突出する前記マンホール蓋用蝶番の下端部に、前記蝶番座に係止可能な係止突部を設け、当該マンホール蓋を前記マンホール受枠から一定長引き上げ及び水平回転自在としたマンホール蓋用蝶番において、前記係止突部を、前記マンホール蓋用蝶番の下端部の両側に当接した一定厚のスペーサーとし、当該係止突部を形成する各スペーサーは、当該スペーサーの貫通孔及びマンホール蓋用蝶番の下端部の貫通孔にヒンジピンが通され、当該ピンジピンの一端に前記スペーサーの貫通孔より大径のフランジ部が設けられ、当該ヒンジピンの他端に軸支した回動部を前記スペーサーの外側に自重により垂下させて前記マンホール蓋用蝶番の下端部に固定されている、マンホール蓋用蝶番とした。
【００１２】
請求項２の発明は、前記マンホール蓋用蝶番の下端部両側のスペーサーが、各スペーサー相互を繋いだ連結部により、断面略コ字型に一体に形成された前記請求項１に記載のマンホール蓋用蝶番とした。
【００１３】
請求項３の発明は、前記ヒンジピンの回動部を突出させた前記スペーサーの外側面に、当該スペーサーの貫通孔を中心に略水平位置に突出部を夫々設け、当該突出部により、前記ヒンジピンの回動部の回動を規制した前記請求項１又は２に記載のマンホール蓋用蝶番とした。また、請求項４の発明は、前記ヒンジピンの回動部を突出させた前記スペーサーの外側面に、当該スペーサーの貫通孔を中心に略水平位置から上部に円弧状の突出段部を設け、当該突出段部の外周面は前記スペーサーの上部外周面を拡長した構成とし、当該突出段部により、前記ヒンジピンの回動部の回動を規制した前記請求項１又は２に記載のマンホール蓋用蝶番とした。
【００１４】
請求項５の発明は、前記ヒンジピンのフランジ部を設けた一端部に貫通孔を穿ち、前記スペーサーの両側部に挟まれた連絡部に貫通孔を穿ち、前記ヒンジピンの貫通孔と当該スペーサーの貫通孔を線状体で繋ぎ、当該線状体の他端を前記マンホール受枠又は他のマンホール開口部構造物に取付けた前記請求項２、３又は４の何れかに記載のマンホール蓋用蝶番とした。
【発明の効果】
【００１５】
請求項１、２、３、４及び５の各発明によれば、マンホール蓋用蝶番を引き上げた際、前記マンホール受枠の蝶番座に当たって係止される係止突部を、前記マンホール蓋用蝶番の下端両側に設けたスペーサーとしているため、マンホール蓋を開ける際、当該マンホール蓋の引き出し等で、マンホール受枠の蝶番座にマンホール蓋用蝶番のヒンジピンが当たらず、当該ヒンジピンに各種の荷重が作用したとしても、これらの各荷重がまずスペーサーにかかり、ヒンジピンに直接これらの力が作用することが無い。
【００１６】
これにより、ヒンジピンに傷がつくことも無く、また、変形することも無い。それ故、マンホール蓋をマンホール受枠に繋いでいるマンホール蓋用蝶番を係止するヒンジピンとして、常時、安定して作用することが出来る。さらに、マンホール蓋をマンホール受枠から取り外す際には、容易にマンホール蓋用蝶番下部の貫通孔から当該ヒンジピンを引き抜くことが出来、マンホール蓋用蝶番を係止する係止突部としては最適なものである。
【００１７】
請求項３及び４の各発明によれば、スペーサーの外側面に貫通孔を中心に略水平位置に突出部等を設け、当該突出部等により、前記ヒンジピンの回動部の回動を規制したので、ヒンジピンの回動部が前記スペーサーの貫通孔を中心に上方へ回動しようとしても前記突出部等に邪魔されて回動出来ない。これにより、ヒンジピンが不用意に貫通孔から抜けることも無く、マンホール蓋用蝶番を係止する係止突部として信頼性が高いものである。
【００１８】
また、請求項４の発明によれば、スペーサーの貫通孔を中心に略水平位置から上部に円弧状の突出段部を設けたので、当該箇所のスペーサーの上部外周面の厚さが厚くなり、マンホール蓋を引き出した際等、マンホール受枠の蝶番座にこのスペーサーの外周面が確実に当たり、ヒンジピンをより確実かつ強固に保護することが出来る。
【００１９】
請求項５の発明によれば、前記ヒンジピンのフランジ部に貫通孔を穿ち、前記スペーサーの両側部に挟まれた連絡部に貫通孔を穿ち、前記ヒンジピンの貫通孔と当該スペーサーの貫通孔を線状体で繋ぎ、当該線状体の他端を前記マンホール受枠又は他のマンホール開口部構造物に取付けたので、マンホール蓋用蝶番の下部の貫通孔から、ヒンジピンやスペーサーが外されたとしても、夫々がばらばらになることもなく、紛失することも無い。それ故、再度、マンホール蓋用蝶番をマンホール受枠に取り付ける際にも、探すことなく、速やかに取り付け作業をすることが出来る。
【発明を実施するための最良の形態】
【００２０】
この発明のマンホール蓋用蝶番の下端部の係止突部を、前記マンホール蓋用蝶番の下端部の両側に当接した一定厚のスペーサーとし、当該係止突部を形成する各スペーサーは、当該スペーサーの貫通孔及びマンホール蓋用蝶番の下端部の貫通孔にヒンジピンが通され、当該ピンジピンの一端に前記スペーサーの貫通孔より大径のフランジ部が設けられ、当該ヒンジピンの他端に軸支した回動部を前記スペーサーの外側に自重により垂下させて前記マンホール蓋用蝶番の下端部に固定され、前記マンホール蓋用蝶番を引き上げた際、当該マンホール蓋用蝶番の下端部の係止突部が、前記マンホール受枠の蝶番座に当接する構成とした。これにより、マンホール受枠の蝶番座にマンホール蓋用蝶番の係止突部が当たっても、直接ヒンジピンには当たらず、当該ヒンジピンに傷がつくことも無く、また、変形することも無い。
【実施例１】
【００２１】
以下、この発明の実施例を図に基づいて説明する。
図１は、この発明の実施例のマンホール蓋用蝶番を用いて、マンホール蓋とマンホール受枠を繋いだ状態の一部断面正面図である。図２は、同一部断面側面図である。図３は、この発明の実施例のマンホール蓋用蝶番のコ字型のスペーサーの正面図である。図４は、同側面図である。図５は、同断面図である。図６は、この発明の実施例のマンホール蓋用蝶番の下端部の貫通孔にヒンジピンを挿通してコ字型のスペーサーを取り付けた状態の回動部側の側面図である。
【００２２】
この発明の実施例のマンホール蓋用蝶番Ａは、図１及び図２に示すように、湾曲片状の蝶番本体５１ａ、ヒンジピン５３、スペーサー１からなる。これらのうち蝶番本体５１ａ及びヒンジピン５３に付いては、既に説明しており（図１５、１６及び図１７参照）、それを省略する。よって、スペーサー１に関して述べる。
【００２３】
スペーサー１は、図３及び図５に示すように、正面略コ字型であり、相対向する両側部は、上部が略半円形状で、下部は逆さ台形状であって（図４参照）、相対向する両側部には貫通孔２を夫々穿っており、これらの各側部の外側面の貫通孔２の外周であって、当該貫通孔２を中心に略水平位置から上部に円弧状の突出段部３を設けている。そして、この突出段部３は、前記貫通孔２の内周縁から一定幅外側に設けられており、その外周面はスペーサー１の両側部の上部外周面を拡長したものとなっている。これによりスペーサー１の両側部の上部外周面の厚さは厚くなり、丈夫なものとなっている。また、このスペーサー１の両側部に挟まれた連絡部の背面の中央部に半円形状の突板４を設け、この突板４に貫通孔５を穿っている。
【００２４】
そして、前記蝶番本体５１ａの下端部をスペーサー１の両側部で挟み、前記蝶番本体５１ａの下端部の貫通孔５２（図１２参照）の位置にスペーサー１の両側部の貫通孔２の位置を合わせて、これらの貫通孔５２、２に前記ヒンジピン５３を通し、当該ヒンジピン５３の回動部５４をスペーサー１の一側に折り曲げ、自重で垂下させる。
【００２５】
これにより、図２に示すように、前記ヒンジピン５３のフランジ部５５は、スペーサー１の貫通孔２の外周と突出段部３の内周との間に嵌合自在であり、また、図６に示すように、回動部５４の上部はスペーサー１の貫通孔２の外周と突出段部３の内周との間に嵌合自在である。
【００２６】
さらに、ヒンジピン５３に何等かの荷重がかかって軸方向に移動することがあっても、このヒンジピン５３の一方は、スペーサー１の貫通孔２の径より大径のフランジ部５５が貫通孔２の内周縁に当たり、他方はヒンジピン５３の折れ曲がった回動部５４が同様に内周縁に当たるので、これらのフランジ部５５と回動部５４で前記移動が規制される。また、前記ヒンジピン５３が何等かの荷重でその軸を中心に回転した場合でも、図６に示すように、回動部５４はスペーサー１の突出段部３の下端に当たって、それ以上回転できない。
【００２７】
次に、このマンホール蓋用蝶番Ａを使用してマンホール蓋Ｂをマンホール受枠Ｃに係止する様子を説明する。図７は、この発明の実施例のマンホール蓋用蝶番Ａを使用するマンホールの平面図である。図８は、同一部断面側面図である。
【００２８】
マンホールは、前記図７及び図８に示すように、概略、マンホール蓋Ｂ、マンホール受枠Ｃ及び落下防止具Ｄからなる。構造としては、マンホール受枠Ｃの開口部に落下防止具Ｄを被せ、その上からマンホール蓋Ｂを嵌合して閉じる。この様に落下防止具Ｄを設置することで、マンホールの開口部に、人が工具等を落としても、また、自身が落ちそうになっても、それらの落下を防ぐことが出来る。
【００２９】
図８に示すように、マンホール蓋Ｂの裏面の嵌合孔６１に球状の上端部６４が嵌め入れられたマンホール蓋用蝶番Ａの下端部を、前記マンホール受枠Ｃの略環状の蝶番座６０の孔内に挿入する。そして、この蝶番座６０の下方において、マンホール蓋用蝶番Ａの下端部の貫通孔５２部分を、前述のように前記スペーサー１の両側部で挟んで、当該マンホール蓋用蝶番Ａの下端部の貫通孔５２と当該スペーサー１の貫通孔２の位置とを合わせ、これらの貫通孔２の一方の開口部から、前記ヒンジピン５３の一端を前記貫通孔２、５２に通し、前記回動部５４を他方の貫通孔２、５２の開口部から突出させる（図１及び図２参照）。
【００３０】
当該ヒンジピン５３の回動部５４を折り曲げると、この回動部５４は、自重により下方へ回動して当該ヒンジピン５３に対して垂下した状態と成って、前記スペーサー１を介して当該ヒンジピン５３を前記マンホール蓋用蝶番Ａの下端に係止する。これにより、図１及び図２に示すように、略水平状態にあるヒンジピン５３の両端外周を、常時、当該スペーサー１の両側部が被服している状態となる。そして、このマンホール蓋用蝶番Ａの下端の両側に設けられた、当該スペーサー１の両側部が、この発明の係止突部を形成していることとなる。
【００３１】
図９は、この発明の実施例のマンホール蓋用蝶番Ａを用いて、マンホール蓋Ｂとマンホール受枠Ｃを繋いだ状態からマンホール蓋Ｂを上方に上げた状態の一部断面正面図である。図１０は、同一部断面側面図である。図１１は、同マンホール蓋Ｂを斜め上方に上げた状態の一部断面正面図である。  
【００３２】
マンホール受枠Ｃにマンホール蓋Ｂを閉じた状態から、マンホール蓋Ｂを開け、前記図９、１０及び図１１に示すように、当該マンホール蓋Ｂを引出し、及び水平方向へ旋回等行った際、前記マンホール蓋用蝶番Ａの下端の、係止突部を形成している前記スペーサー１の両側部の上部外周面が蝶番座６０に当たり、前記マンホール蓋用蝶番Ａは蝶番座６０に係止される。この際、常時、ヒンジピン５３の両端外周をスペーサー１の両側部が被っているので、マンホール受枠Ｃの蝶番座６０にスペーサー１の両側部の上部外周面が当たり、ヒンジピン５３と蝶番座６０とが直接接触することがない。従って、ヒンジピン５３に蝶番座６０からの荷重や曲げ荷重がかかったとしても、スペーサー１にこれらの力がかかり、ヒンジピン５３は荷重が軽減される。
【００３３】
それ故、ヒンジピン５３に傷が付くことも無く、当該ヒンジピン５３が変形することもない。よって、マンホール蓋Ｂをマンホール受枠Ｃに繋いでいるマンホール蓋用蝶番Ａを係止するヒンジピン５３として、常時、安定して作用することが出来る。
【００３４】
続いて、この様なマンホール蓋用蝶番Ａをマンホール受枠Ｃから取外す様子を説明する。図１２は、このマンホール蓋用蝶番Ａからヒンジピン５３とスペーサー１を取外し、マンホール蓋Ｂを上方に上げた状態の一部分解斜視図である。この図１２に示すように、ヒンジピン５３本体に対して、折曲して垂下した状態の回動部５４を真っ直ぐにして、ヒンジピン５３をマンホール蓋用蝶番Ａの下端部の貫通孔５２及びスペーサー１の貫通孔２から引き抜き、同時に、スペーサー１をマンホール蓋用蝶番Ａの下端部から外す。この様に、ヒンジピン５３の回動部５４を真っ直ぐにするだけで、マンホール蓋用蝶番Ａの貫通孔５２及びスペーサー１の貫通孔２から容易に引き抜くことが出来る。
【００３５】
これにより、マンホール蓋用蝶番Ａをマンホール受枠Ｃの蝶番座６０に係止するものが無くなったので、マンホール蓋Ｂを上方へ引き上げ取外す。この時、予め、ヒンジピン５３の他端の半円形状の板体５６の貫通孔５７にリング６２を取り付け、また、スペーサー１の連絡部の半円形状の突板４の貫通孔５にリング６を取り付け、これらの二つのリング６２、６をステンレスチェーン６３で繋ぎ、このステンレスチェーン６３の他端を前記落下防止具Ｄの端縁に結び付けておき（図示省略）、ヒンジピン５３とスペーサー１を当該落下防止具Ｄの底面上に載置しておく。これにより、マンホール蓋用蝶番Ａの下端部から取外されたヒンジピン５３とスペーサー１を紛失することもなくなる。
【００３６】
前記実施例においては、スペーサー１の両側面に、貫通孔２を中心に略水平位置から上部に円弧状の突出段部３を設け、当該突出段部３の外周面で、スペーサー１の上部外周面を拡長させることにより、ヒンジピン５３の回動の規制に加えて、より確実かつ強固に当該ヒンジピン５３を保護するようにしているが、突出段部３の設け方は、これに限らず、貫通孔２の略水平位置の両側に突部を設けるだけの場合もあり、さらには、突出段部３等をヒンジピン５３の回動部５４側の一側面だけに設ける場合もある。
【００３７】
また、スペーサー１として、相対向する両側部を有する正面略コ字型のものを使用しているが、スペーサーとしての形状は、これに限るものではなく、前記両側部が分離したものから成るものでもよい。
【００３８】
また、ヒンジピン５３とスペーサー１にリング６２、６を介してステンレスチェーン６３を取り付けているが、ヒンジピン５３とスペーサー１の各貫通孔５７、５に直接チェーン等を取り付けてもよく、また、チェーン等は必ずしも使用する必要は無い。さらに、マンホール受枠Ｃに落下防止具Ｄを被せているが、この落下防止具Ｄは必ずしも使用する必要は無い。
【図面の簡単な説明】
【００３９】
【図１】この発明の実施例のマンホール蓋用蝶番を用いて、マンホール蓋とマンホール受枠を繋いだ状態の一部断面正面図である。
【図２】この発明の実施例のマンホール蓋用蝶番を用いて、マンホール蓋とマンホール受枠を繋いだ状態の一部断面側面図である。
【図３】この発明の実施例のマンホール蓋用蝶番のコ字型のスペーサーの正面図である。
【図４】この発明の実施例のマンホール蓋用蝶番のコ字型のスペーサーの側面図である。
【図５】この発明の実施例のマンホール蓋用蝶番のコ字型のスペーサーの断面図である。
【図６】この発明の実施例のマンホール蓋用蝶番の下端部の貫通孔にヒンジピンを挿通してコ字型のスペーサーを取り付けた状態の回動部側の側面図である。
【図７】この発明の実施例のマンホール蓋用蝶番を使用するマンホールの平面図である。
【図８】この発明の実施例のマンホール蓋用蝶番を使用するマンホールの一部断面側面図である。
【図９】この発明の実施例のマンホール蓋用蝶番を用いて、マンホール蓋とマンホール受枠を繋いだ状態からマンホール蓋を上方へ上げた状態の一部断面正面図である。
【図１０】この発明の実施例のマンホール蓋用蝶番を用いて、マンホール蓋とマンホール受枠を繋いだ状態からマンホール蓋を上方へ上げた状態の一部断面側面図である。
【図１１】この発明の実施例のマンホール蓋用蝶番を用いて、マンホール蓋とマンホール受枠を繋いだ状態からマンホール蓋を斜め上方に上げた状態の一部断面正面図である。
【図１２】この発明の実施例のマンホール蓋用蝶番を用いて、マンホール蓋とマンホール受枠を繋いだ状態からヒンジピンとスペーサーを取外し、マンホール蓋を上方に上げた状態の一部分解斜視図である。
【図１３】従来例のマンホール蓋用蝶番の上端部をマンホール蓋の裏面に嵌合し、当該マンホール蓋用蝶番の下端部の貫通孔にボルトを挿通し、ナットで締め付けた状態の一部断面正面図である。
【図１４】従来例のマンホール蓋用蝶番の上端部をマンホール蓋の裏面に嵌合し、当該マンホール蓋用蝶番の下端部の貫通孔にボルトを挿通し、ナットで締め付けた状態の一部断面側面図である。
【図１５】従来例のマンホール蓋用蝶番の上端部をマンホール蓋の裏面に嵌合し、当該マンホール蓋用蝶番の下端部の貫通孔にヒンジピンを取り付けた状態の一部断面正面図である。
【図１６】従来例のマンホール蓋用蝶番において使用するヒンジピンの平面図である。
【図１７】従来例のマンホール蓋用蝶番において使用するヒンジピンの正面図である。
【符号の説明】
【００４０】
Ａ      マンホール蓋用蝶番          Ｂ      マンホール蓋
Ｃ      マンホール受枠              Ｄ      落下防止具
１      スペーサー                  ２      貫通孔
３      突出段部                    ４      板体
５      貫通孔                      ６      リング
５１      マンホール蓋用蝶番        ５１ａ    蝶番本体  
５２      貫通孔                    ５３      ヒンジピン
５４      回動部                    ５５      フランジ部
５６      板体                      ５７      貫通孔
５８      ボルト                    ５９      ナット
６０      蝶番座                    ６１      嵌合孔
６２      リング                    ６３      ステンレスチェーン
６４      上端部
【図１】
0004850789.tif 000002
【図２】
0004850789.tif 000003
【図３】
0004850789.tif 000004
【図４】
0004850789.tif 000005
【図５】
0004850789.tif 000006
【図６】
0004850789.tif 000007
【図７】
0004850789.tif 000008
【図８】
0004850789.tif 000009
【図９】
0004850789.tif 000010
【図１０】
0004850789.tif 000011
【図１１】
0004850789.tif 000012
【図１２】
0004850789.tif 000013
【図１３】
0004850789.tif 000014
【図１４】
0004850789.tif 000015
【図１５】
0004850789.tif 000016
【図１６】
0004850789.tif 000017
【図１７】
0004850789.tif 000018